(57)【要約】【課題】  本発明はエンドサイドにネットが取付けられていない陳列棚の棚柱に内装工事業者でなくても、簡単な作業で容易に棚板から陳列品が脱落するのを阻止することができるように取付けることができ、かつ棚板の上下方向の位置変えもきわめて容易に行なうことができる陳列棚用支持具を得るにある。【解決手段】  陳列棚の所定間隔でスリットが形成された棚柱のスリット部を少なくとも2個以上覆うことができる支持体と、この支持体に前記棚柱方向にスライド移動可能に取付けられた先端部が、該棚柱のスリット内に挿入されるフック部が形成された少なくとも2個のフック部材と、この少なくとも2個のフック部材のフック部がそれぞれ前記棚柱のスリットの周囲の一部の壁面と締付状態で係止させるねじを用いた2個の締付具と、前記支持体に後端部が固定的に取付けられた棚板からの陳列品の脱落を阻止する支持片とで陳列棚用支持具を構成している。【選択図】  図１
2005160940.tif 000002
【特許請求の範囲】
【請求項１】
陳列棚の所定間隔でスリットが形成された棚柱のスリット部を少なくとも2個以上覆うことができる支持体と、この支持体に前記棚柱方向にスライド移動可能に取付けられた先端部が、該棚柱のスリット内に挿入されるフック部が形成された少なくとも2個のフック部材と、この少なくとも2個のフック部材のフック部がそれぞれ前記棚柱のスリットの周囲の一部の壁面と締付状態で係止させるねじを用いた2個の締付具と、前記支持体に後端部が固定的に取付けられた棚板からの陳列品の脱落を阻止する支持片とからなることを特徴とする陳列棚用支持具。
【請求項２】
陳列棚の所定間隔でスリットが形成された棚柱のスリット部を少なくとも2個以上覆うことができる四角柱状の支持体と、この支持体に前記棚柱方向および上下方向にスライド移動可能に取付けられた先端部が、該棚柱のスリット内に挿入されるフック部が形成された少なくとも2個のフック部材と、この少なくとも2個のフック部材のフック部がそれぞれ前記棚柱のスリットの周囲の一部の壁面と締付状態で係止させるねじを用いた2個の締付具と、前記支持体に後端部が固定的に取付けられた棚板からの陳列品の脱落を阻止する支持片とからなることを特徴とする陳列棚用支持具。
【請求項３】
陳列棚の所定間隔でスリットが形成された棚柱のスリット部を少なくとも2個以上覆うことができる四角柱状の支持体と、この支持体の上部寄りあるいは下部寄りの背面より外方へ突出し、前記棚柱のスリットに挿入される係止片と、前記支持体の下部寄りあるいは上部寄りに前記棚柱方向および上下方向にスライド移動可能に取付けられた先端部が、該棚柱のスリット内に挿入されるフック部が形成されたフック部材と、このフック部材のフック部が前記棚柱のスリットの周囲の一部の壁面と締付状態で係止させるねじを用いた締付具と、前記支持体に後端部が固定的に取付けられた棚板からの陳列品の脱落を阻止する支持片とからなることを特徴とする陳列棚用支持具。
【発明の詳細な説明】
【技術分野】
【０００１】
本発明は所定間隔でスリットが形成された棚柱を用いた陳列棚の端部の支持具として使用される陳列棚用支持具に関する。
【背景技術】
【０００２】
従来、エンドサイドにネットが取付けられていない陳列棚は、棚板のエンドサイドからの陳列品の脱落を阻止するためには内装工事でネットを設置するしか方法がなかった。
【０００３】
このため、ネットを設置するのに時間と費用がかかり、コスト高になるという欠点があるとともに、ネットを設置すると陳列棚の棚板の上下方向の位置変えが難しくなるという欠点があった。
【特許文献１】特になし
【発明の開示】
【発明が解決しようとする課題】
【０００４】
本発明は以上のような従来の欠点に鑑み、エンドサイドにネットが取付けられていない陳列棚の棚柱に内装工事業者でなくても、簡単な作業で容易に棚板から陳列品が脱落するのを阻止することができるように取付けることができ、かつ棚板の上下方向の位置変えもきわめて容易に行なうことができる陳列棚用支持具を提供することを目的としている。                  
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は陳列棚の所定間隔でスリットが形成された棚柱のスリット部を少なくとも2個以上覆うことができる支持体と、この支持体に前記棚柱方向にスライド移動可能に取付けられた先端部が、該棚柱のスリット内に挿入されるフック部が形成された少なくとも2個のフック部材と、この少なくとも2個のフック部材のフック部がそれぞれ前記棚柱のスリットの周囲の一部の壁面と締付状態で係止させるねじを用いた2個の締付具と、前記支持体に後端部が固定的に取付けられた棚板からの陳列品の脱落を阻止する支持片とで陳列棚用支持具を構成している。
【発明の効果】
【０００７】
以上の説明から明らかなように、本発明にあっては次に列挙する効果が得られる。
【０００８】
（１）少なくとも２個のフック部材と、２個の締付具によって支持片が固定的に取付けられた支持体を棚柱に固定的に取付けることができる。
したがって、棚板の陳列品がエンドサイドから脱落するのを確実に阻止することができる。
【０００９】
（２）前記（１）によって、棚柱のスリットにフック部材のフック部を挿入し、スリットの周囲の一部の壁面にフック部を位置させて締付具で締付けることにより、棚柱に固定状態で取付けることができる。
したがって、内装工事業者でなくても、簡単な作業で楽に、かつ安価に取付けることができるとともに、棚柱に確実で強固に取付けることができる。
【００１０】
（３）前記（１）によって、締付具で固定状態に取付けているので、容易に着脱させることができる。
したがって、棚板の上下方向の位置変えも容易に楽に行なうことができる。
【００１１】
（４）前記（１）によって、少なくとも２個のフック部材を用いているので、棚柱に支持体や支持片がほぼ垂直状態となり、かつ回動不能に確実に取付けることができる。
したがって、取付け状態が変ったりするのを確実に防止でき、安全に使用することができる。
【００１２】
（５）請求項２、３も前記（１）〜（４）と同様な効果が得られるとともに、支持体を棚柱に面接触させることができ、より移動や回動不能に取付けることができる。
【発明を実施するための最良の形態】
【００１３】
以下、図面に示す本発明を実施するための最良の形態より、本発明を詳細に説明する。
【００１４】
図１ないし図８に示す本発明を実施するための最良の第１の形態において、１は所定間隔でスリット２が形成された棚柱３を用いた陳列棚４に使用される本発明の陳列棚用支持具で、この陳列棚用支持具１は前記棚柱３のスリット２部を少なくとも２個以上、本発明の実施の形態では２個覆うことができる両端部が閉塞された四角筒状の支持体５と、この支持体５に前記棚柱３方向および上下方向にスライド移動可能に取付けられた先端部が、該棚柱３の隣り合うスリット２、２に挿入されるフック部６、６が形成された少なくとも２個のフック部材７、７と、この少なくとも２個のフック部材７、７のフック部６、６がそれぞれ前記棚柱３のスリット２、２の周囲の一部の壁面３ａと締付状態で係止させるねじを用いた２個の締付具８、８と、前記支持体５に後端部が溶接等によって固定的に取付けられた、棚板９からの陳列品の脱落を阻止する支持片１０とで構成されている。
【００１５】
前記支持体５は図５および図６に示すように、四角筒状の支持体本体１１と、この支持体本体１１の両端部を閉塞する閉塞体１２、１２と、取付時に前記棚柱３と面接触する背面に形成された前記フック部材７、７が棚柱方向および上下方向にスライド移動できるように形成されたフック部材挿入孔１３、１３と、前記支持体本体１１の前面で前記フック部材挿入孔１３、１３と対応する部位に形成された上下方向が長い長孔１４、１４とで構成されている。
【００１６】
前記フック部材７、７は図７に示すように、板材でＬ字状に形成されたフック部材本体１５と、このフック部材本体１５の内側角部に形成された、前記棚柱３のスリット２が形成された壁面３ａが入り込むことができる凹部１６とで構成されている。
【００１７】
前記締付具８、８は図７に示すように、前記フック部材７の後端部に先端部が溶接等によって固定され、前記支持体５の長孔１４より外方へ突出するねじ棒１７と、このねじ棒１７と螺合する前記長孔１４の両端部の支持体５と当接するナット１８とで構成されている。
【００１８】
前記支持片１０は前記支持体５の上下部寄りの部位に後端部が溶接等によって固定されたＵ字状の支持バー１９と、この支持バー１９に固定された複数個、本発明の実施の形態では２個の四角枠状の支持枠２０、２０とで構成されている。
【００１９】
上記構成の陳列棚用支持具１は陳列棚４の棚板９、９間の棚柱３の任意の位置の隣り合うスリット２、２にフック部材７、７のフック部６、６を挿入させ、支持体５あるいはフック部材７、７を下方へスライド移動させて、フック部材７、７の凹部１６、１６内に棚柱３のスリット２、２が形成された部位の壁面３ａ、３ａを挿入させる。
この状態で、図８に示すように締付具８、８のナット１８、１８を螺締め方向に回転させることにより、支持体５を棚柱３に締付固定することができ、エンドサイドから陳列品が脱落するのを阻止できる。
この時、上下２個のフック部材７、７で締付固定しているため、支持体５が回動したり、移動するのを確実に阻止できる締付固定となる。
[発明を実施するための異なる形態]
【００２０】
次に、図９ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図９ないし図１１に示す本発明を実施するための第２の形態において、前記本発明を実施するための最良の第１の形態と主に異なる点は、フック部材７、７を棚柱３方向にのみスライド移動できるねじ挿入孔２１およびフック部材挿入孔１３Ａを形成した支持体５Ａに取付けた点で、このように構成した陳列棚用支持具１Ａにしても、取付時にフック部材７、７を上下方向にスライド移動させることができないが、それ以外は前記本発明を実施するための最良の第１の形態と同様な作用効果が得られる。
【００２２】
図１２ないし図１４に示す本発明を実施するための第３の形態において、前記本発明を実施するための最良の第１の形態と主に異なる点は、フック部材７、７の後端部に溶接や接着剤等によって固定されたナット１８、１８と、このナット１８、１８と支持体５の長孔１４、１４を通過して螺合するボルト２２、２２とからなる締付具８Ａ、８Ａを用いた点で、このように形成された締付具８Ａ、８Ａを用いて構成された陳列棚用支持具１Ｂにしても、前記本発明を実施するための最良の第１の形態と同様な作用効果が得られる。
【００２３】
図１５ないし図１７に示す本発明を実施するための第４の形態において、前記本発明を実施するための最良の第１の形態と主に異なる点は、下部位置スリット２内に挿入される係止片２３を支持体５Ｂに固定的に取付けるとともに、格子状の支持片１０Ａを支持体５Ｂに取付けた点で、このように構成された陳列棚用支持具１Ｃしても、前記本発明を実施するための最良の第１の形態と同様な作用効果が得られる。
【産業上の利用可能性】
【００２４】
本発明は陳列棚用支持具を製造する産業および設置する産業で利用される。
【図面の簡単な説明】
【００２５】
【図１】本発明を実施するための最良の第１の形態の使用説明図。
【図２】本発明を実施するための最良の第１の形態の正面図。
【図３】本発明を実施するための最良の第１の形態の平面図。
【図４】本発明を実施するための最良の第１の形態の要部拡大断面図。
【図５】本発明を実施するための最良の第１の形態の支持体の正面を示す斜視図。
【図６】本発明を実施するための最良の第１の形態の支持体の背面を示す斜視図。
【図７】本発明を実施するための最良の第１の形態のフック部材と締付具の説明図。
【図８】本発明を実施するための最良の第１の形態の締付固定状態の説明図。
【図９】本発明を実施するための第２の形態の正面図。
【図１０】本発明を実施するための第２の形態の要部拡大断面図。
【図１１】本発明を実施するための第２の形態の支持体の正面を示す斜視図。
【図１２】本発明を実施するための第３の形態の正面図。
【図１３】本発明を実施するための第３の形態の要部拡大断面図。
【図１４】本発明を実施するための第３の形態の締付具の説明図。
【図１５】本発明を実施するための第４の形態の正面図。
【図１６】本発明を実施するための第４の形態の要部拡大断面図。
【図１７】本発明を実施するための第４の形態の支持体の背面を示す斜視図。
【符号の説明】
【００２６】
１、１Ａ、１Ｂ、１Ｃ：陳列棚用支持具、
２：スリット、                ３：棚柱、
４：陳列棚、                  ５、５Ａ、５Ｂ：支持体、
６：フック部、                ７：フック部材、
８、８Ａ：締付具、            ９：棚板、
１０、１０Ａ：支持片、        １１：支持体本体、
１２：閉塞体、
１３、１３Ａ：フック部材挿入孔、
１４：長孔、                  １５：フック部材本体、
１６：凹部、                  １７：ねじ棒、
１８：ナット、                １９：支持バー、
２０：支持枠、                ２１；ねじ挿入孔、
２２：ボルト、                ２３：係止片。
【図１】
2005160940.tif 000003
【図２】
2005160940.tif 000004
【図３】
2005160940.tif 000005
【図４】
2005160940.tif 000006
【図５】
2005160940.tif 000007
【図６】
2005160940.tif 000008
【図７】
2005160940.tif 000009
【図８】
2005160940.tif 000010
【図９】
2005160940.tif 000011
【図１０】
2005160940.tif 000012
【図１１】
2005160940.tif 000013
【図１２】
2005160940.tif 000014
【図１３】
2005160940.tif 000015
【図１４】
2005160940.tif 000016
【図１５】
2005160940.tif 000017
【図１６】
2005160940.tif 000018
【図１７】
2005160940.tif 000019